【手続補正書】
【提出日】平成17年3月28日(2005.3.28)
【手続補正１】
【補正対象書類名】特許請求の範囲
【補正対象項目名】全文
【補正方法】変更
【補正の内容】
【特許請求の範囲】
【請求項１】
Ｅ／Ｘ／Ｙコポリマー（ここで、Ｅはエチレンであり、ＸはＣ３〜Ｃ８のα，βエチレン性不飽和カルボン酸であり、Ｙは、アルキル基が１〜８個の炭素原子を有するアルキルアクリレートおよびアルキルメタクリレートから選択される軟化コモノマーである）を含む熱可塑性組成物であって、
ａ．前記Ｅ／Ｘ／Ｙコポリマーは、ＡＳＴＭ  Ｄ−１２３８、条件Ｅにしたがって、１９０℃で、２１６０グラムの重量を用いて測定して、１０分あたり少なくとも７５グラムのメルトインデックスを有し、
ｂ．Ｘは、前記Ｅ／Ｘ／Ｙコポリマーの約２〜３０ｗｔ％であり、Ｙは、前記Ｅ／Ｘ／Ｙコポリマーの約１７〜４０ｗｔ％であり、かつ、
ｃ．Ｘの少なくとも５５％は、１つ以上のアルカリ金属、遷移金属、またはアルカリ土類金属のカチオンによって中和される
ことを特徴とする熱可塑性組成物。
【請求項２】
Ｅ／Ｘ／Ｙコポリマー（ここで、Ｅはエチレンであり、ＸはＣ３〜Ｃ８のα，βエチレン性不飽和カルボン酸であり、Ｙは、アルキル基が１〜８個の炭素原子を有するアルキルアクリレートおよびアルキルメタクリレートから選択される軟化コモノマーである）を含む熱可塑性組成物であって、
ａ．前記Ｅ／Ｘ／Ｙコポリマーは、前記Ｅ／Ｘ／Ｙコポリマーが高度に中和されるとき、その結果生じる中和樹脂が、ＡＳＴＭ  Ｄ−１２３８、条件Ｅにしたがって、１９０℃で、２１６０グラムの重量を用いて測定可能であるＭＩを有するのに十分なほど高い、ＡＳＴＭ  Ｄ−１２３８、条件Ｅにしたがって、１９０℃で、２１６０グラムの重量を用いて測定されたメルトインデックスを有し、
ｂ．Ｘは、前記Ｅ／Ｘ／Ｙコポリマーの約２〜３０ｗｔ％であり、Ｙは、前記Ｅ／Ｘ／Ｙコポリマーの約１７〜４０ｗｔ％であり、かつ、
ｃ．Ｘは、１つ以上のアルカリ金属、遷移金属、またはアルカリ土類金属のカチオンによって高度に中和される
ことを特徴とする熱可塑性組成物。
【請求項３】
（ａ）請求項１または２に記載の組成物と、（ｂ）３６個よりも少ない炭素原子を有する１つ以上の脂肪族一官能性有機酸またはこれらの塩を、（ａ）および（ｂ）の合計を基準として約５〜５０重量％と、から本質的になる溶融加工可能である熱可塑性組成物を含む組成物であって、（ａ）と（ｂ）との酸全体の８０％超が、１つ以上のアルカリ金属、遷移金属、またはアルカリ土類金属のカチオンによって中和されることを特徴とする組成物。
【請求項４】
請求項１または３に記載の組成物を含むことを特徴とするゴルフボールのカバー。
【請求項５】
請求項１または３に記載の組成物を含むことを特徴とする２ピースゴルフボールの芯。
【請求項６】
請求項１または３に記載の組成物を含むことを特徴とする３ピースゴルフボールの中心部。
【請求項７】
請求項１または３に記載の組成物を含むことを特徴とする１ピースゴルフボール。
【手続補正２】
【補正対象書類名】明細書
【補正対象項目名】００５３
【補正方法】変更
【補正の内容】
【００５３】
図１から分かるように（図１のデータの記号表については図１Ａ参照）、実施例１〜２５の軟質な弾性イオノマー樹脂（ＳＲＩ樹脂）を用いて製造された球は、通常の「軟質イオノマー」、イオノマー−１、イオノマー−２、イオノマー−３、およびイオノマー−４から製造された球よりも高いＣＯＲ、またはこれよりも低いＰＧＡ圧縮を有する（このプロットの左側下部の各組におけるデータ点）。イオノマー−１、イオノマー−２、イオノマー−３、およびイオノマー−４は、表Ｖにおいて上に報告されている組成物を有する。一般的に、ＣＯＲを増加させるために、「剛性または硬質イオノマー」（軟化モノマーを含まない、部分的に中和されたエチレン、Ｃ３〜Ｃ８のα，βエチレン性不飽和カルボン酸コポリマー）が、「軟質イオノマー」に添加される。図１におけるイオノマー−１、イオノマー−２、イオノマー−３、およびイオノマー−４についてのデータの各組は、「軟質イオノマー」と、様々な量の様々な「剛性イオノマー」とのブレンドを表わしている。図１から分かるように、ＳＲＩ球（「剛性イオノマー」とブレンドされていない）についてのデータ点は、「軟質イオノマー」ブレンドの各々についてのデータの直線プロット以下に下がる。換言すれば、ＳＲＩ樹脂についてのＡｔｔｉ（ＰＧＡ）圧縮は、ＣＯＲを、「剛性イオノマー」を用いずにＳＲＩによって達成されたレベルまで上げるために「剛性イオノマー」とブレンドされた「軟質イオノマー」についてのものよりも低い。
なおここで、本発明の好ましい実施態様を以下に記載する。
１．Ｅ／Ｘ／Ｙコポリマー（ここで、Ｅはエチレンであり、ＸはＣ３〜Ｃ８のα，βエチレン性不飽和カルボン酸であり、Ｙは、アルキル基が１〜８個の炭素原子を有するアルキルアクリレートおよびアルキルメタクリレートから選択される軟化コモノマーである）を含む熱可塑性組成物であって、
ａ．前記Ｅ／Ｘ／Ｙコポリマーは、ＡＳＴＭ  Ｄ−１２３８、条件Ｅにしたがって、１９０℃で、２１６０グラムの重量を用いて測定して、１０分あたり少なくとも７５グラムのメルトインデックスを有し、
ｂ．Ｘは、前記Ｅ／Ｘ／Ｙコポリマーの約２〜３０ｗｔ％であり、Ｙは、前記Ｅ／Ｘ／Ｙコポリマーの約１７〜４０ｗｔ％であり、かつ、
ｃ．Ｘの少なくとも５５％は、１つ以上のアルカリ金属、遷移金属、またはアルカリ土類金属のカチオンによって中和される
ことを特徴とする熱可塑性組成物。
２．Ｘは、前記Ｅ／Ｘ／Ｙコポリマーの約４〜２０ｗｔ％であり、Ｙは、前記Ｅ／Ｘ／Ｙコポリマーの約２０〜４０ｗｔ％であり、前記Ｅ／Ｘ／Ｙコポリマーのメルトインデックスは、１０分あたり少なくとも１００グラムであることを特徴とする前記１．に記載の組成物。
３．Ｘは、前記Ｅ／Ｘ／Ｙコポリマーの約５〜１５ｗｔ％であり、Ｙは、前記Ｅ／Ｘ／Ｙコポリマーの約２４〜３５ｗｔ％であり、前記Ｅ／Ｘ／Ｙコポリマーのメルトインデックスは、１０分あたり少なくとも１５０グラムであり、Ｘの少なくとも７０％は中和されることを特徴とする前記２．に記載の組成物。
４．Ｘは、メタクリル酸またはアクリル酸であることを特徴とする前記３．に記載の組成物。
５．Ｘの少なくとも８０％が中和されることを特徴とする前記１．に記載の組成物。
６．Ｅ／Ｘ／Ｙコポリマー（ここで、Ｅはエチレンであり、ＸはＣ３〜Ｃ８のα，βエチレン性不飽和カルボン酸であり、Ｙは、アルキル基が１〜８個の炭素原子を有するアルキルアクリレートおよびアルキルメタクリレートから選択される軟化コモノマーである）を含む熱可塑性組成物であって、
ａ．前記Ｅ／Ｘ／Ｙコポリマーは、前記Ｅ／Ｘ／Ｙコポリマーが高度に中和されるとき、その結果生じる中和樹脂が、ＡＳＴＭ  Ｄ−１２３８、条件Ｅにしたがって、１９０℃で、２１６０グラムの重量を用いて測定可能であるＭＩを有するのに十分なほど高い、ＡＳＴＭ  Ｄ−１２３８、条件Ｅにしたがって、１９０℃で、２１６０グラムの重量を用いて測定されたメルトインデックスを有し、
ｂ．Ｘは、前記Ｅ／Ｘ／Ｙコポリマーの約２〜３０ｗｔ％であり、Ｙは、前記Ｅ／Ｘ／Ｙコポリマーの約１７〜４０ｗｔ％であり、かつ、
ｃ．Ｘは、１つ以上のアルカリ金属、遷移金属、またはアルカリ土類金属のカチオンによって高度に中和される
ことを特徴とする熱可塑性組成物。
７．（ａ）前記１．または６．に記載の組成物と、（ｂ）３６個よりも少ない炭素原子を有する１つ以上の脂肪族一官能性有機酸またはこれらの塩を、（ａ）および（ｂ）の合計を基準として約５〜５０重量％と、から本質的になる溶融加工可能である熱可塑性組成物を含む組成物であって、（ａ）と（ｂ）との酸全体の８０％超が、１つ以上のアルカリ金属、遷移金属、またはアルカリ土類金属のカチオンによって中和されることを特徴とする組成物。
８．（ａ）と（ｂ）との酸全体の９０％超が中和されることを特徴とする前記７．に記載の組成物。
９．（ａ）および（ｂ）の酸が、（ａ）と（ｂ）との酸全体の少なくとも１００％を中和するのに十分な量の、１つ以上のアルカリ金属、遷移金属、またはアルカリ土類金属のカチオン源で中和されることを特徴とする前記７．に記載の組成物。
１０．前記１．または７．に記載の組成物を含むことを特徴とするゴルフボールのカバー。
１１．前記１．または７．に記載の組成物を含むことを特徴とする２ピースゴルフボールの芯。
１２．前記１．または７．に記載の組成物を含むことを特徴とする３ピースゴルフボールの中心部。
１３．前記１．または７．に記載の組成物を含むことを特徴とする、多層ゴルフボールの芯、マントル、または１つ以上の中間層。
１４．前記１．または７．に記載の組成物を含むことを特徴とする１ピースゴルフボール。